(57)【特許請求の範囲】
【請求項１】
バッティングパッドであって、以下：
衝撃吸収材料から作製され、バッターの親指にフィットするように合わせられた環部分およびバッターの親指と人差し指との間の掌領域をクッションで覆うための付属物を有する本体であって、該付属物は、該環部分の内側に隣接した第１端部と該付属物の遠位端部との間に長さＮを有する、本体；
を備え、
ここで、該付属物は、該第１端部と該遠位端部との間に位置したその最も厚い点で厚みＴを有し、該付属物の厚みＴは、該バッターの人差し指の先端に向かってバットを配置し、そして該バットを該バッターの小指近辺で該バッターの手掌に接触させることにより、該バッターの前腕に平行な線に対して該バッターの手中にあるバットの角度を決定し；さらにここで、該付属物の厚みＴに対する該付属物の長さＮの比Ｎ／Ｔは、約１．３未満であり、
該付属物の長さＮが、約２．５４〜３．０５ｃｍ（約１．０〜１．２インチ）であり、そして該本体の厚みＴが、約２．２９〜３．０５ｃｍ（約０．９〜１．２インチ）である、バッティングパッド。
【請求項２】
前記本体の長さＮが約３．０５ｃｍ（約１．２インチ）であり、そして前記本体の厚みＴが約２．５１ｃｍ（約０．９９インチ）である、請求項１に記載のバッティングパッド。
【発明の詳細な説明】
【０００１】
（関連出願）
本出願は、２０００年３月２０日出願の出願番号第０９／５２８，３９７の優先権を主張する。
【０００２】
（技術分野）
本発明は、概して、バッターの適切な握りおよび野球またはソフトボールのバットのコントロールを補助し、そしてバッターの手を挫傷または傷害（骨挫傷傷害を含む）から保護するための野球用具に関する。より具体的には、本発明は、バッターのバットの握りを補助するために、親指、および親指と人差し指との間に当てられるパッドに関する。
【０００３】
（背景）
バッターが野球用バットを適切に握るために、バッターは、バットの柄を、開いた手を斜めに横切って対角線上に据え、次いで、主に指でバットを握るが、手掌では握らない。人差し指および中指は、バットの握りにおいて特に重要である。掌の代わりに主に指でバットを握ることは、バッターがバットをコントロールすることの助けとなるのみならず、バッターがよりしっかりとバットを握ることの助けにもなる。従って、主に指で握ることは、梃子の作用、バットのコントロールおよび配置、ならびにバットの速度を増加させ、従ってより力強く、かつ正確なバッティングストロークを可能にする。バットを手掌深く握る場合、およびバットが親指と人差し指との間の領域にもたれかかる場合、バッターは、バットを適切にコントロールできない可能性があり、バットは、指の間でおよび親指と人差し指との間の掌領域の中で小刻みに揺れ動くかまたはすべる可能性があり、バッターの梃子の作用、バットのコントロールおよび配置、ならびにバットの速度および威力は低下され得る。
【０００４】
バッターがバットの細い部分またはバットの端部でボールを打った場合に、しばしば、強い衝撃または一撃が、バットを通じてバッターの手に伝わる。この衝撃は、バッターの手に挫傷を、特に掌領域（代表的には、親指の基部近辺または基部）および人差し指（代表的には、人差し指の基部近辺または基部）に生じさせ得る。多くのバッターは、親指および手の関節近辺または関節、あるいは人差し指および手の関節近辺および関節に挫傷を発生させる。これらの挫傷は、バッターが試合をするのを妨げ得、痛みを伴い得、そして手の同じ領域に定期的に衝撃が繰り返し生じることに起因して、長期間または永久に挫傷が続き得る。
【０００５】
バットの間違ったスポットで野球ボールを打つことによる衝撃の影響を軽減するための多くのデバイスが当該分野で公知である。これらのデバイスのいくつかとしては、バッティンググローブ（野球ボールを打つことによる衝撃を和らげる）、パッド（親指と人差し指との間の領域をクッションで覆う）が挙げられる。１つのこのようなパッドは、米国特許第４，４６１，０４３号に開示される。この特許は、親指にフィットする環を有するクッション、および親指と人差し指との間の掌をクッションで覆う細長部分を開示する。本出願の図１、２、５および７は、米国特許第４，４６１，０４３号に開示されたものと同様のパッドを示す。
【０００６】
図１および２に最もよく認められ得るように、米国特許第４，４６１，０４３号のパッドは、バッターの親指にフィットする開口部１４を備える環部分１２、およびバッターの親指と人差し指との間の領域をクッションで覆うために環部分１２から延びたフラップ部分１６を有する細長部材１０からなる。図５は、バッターの親指３０にフィットする部材１０の環部分１２を示す。このパッドが使用される場合、このパッドのフラップ部分１６は、バッターの手の人差し指３４まで延びる。図１に示されるように、部材１０の下面１８は、比較的平らである。フラップ部分１６上の部材１０の上面２０は、湾曲している。バッターがバット４０を絞るように握る場合、図７に示されるように、部材１０の下面１８は、バット４０と接触し、そしてバット４０をバッターの掌領域３２から離れてバッターの指（３６としてまとめて参照される）に向かって押し出す。
【０００７】
米国特許第４，４６１，０４３号のバッティングパッドは、概してその目的に適しているが、多くの欠点を有する。本出願の図５は、バット４０を強く握っていない状態でバッターの手中にあるこのバッティングパッドを示し、図７は、バット４０をバッターが握った状態でのこのバッティングパッドを示す。部材１０の長さ（特に、環部分１２からフラップ部分１６の先端２２まで）が原因で、代表的なバッターは、フラップ部分１６を圧縮および湾曲させて、バット４０を強く握らなければならない。図７に認められ得るように、部材１０は、指３６に対して十分離れてバット４０を押し出して、バッターが手掌の代わりに指３６でバット４０を楽に握ることを可能にするには厚みが足りない。
【０００８】
米国特許第４，４６１，０４３号のバッティングパッドの別の欠点は、バッターがバット４０を握り、バット４０をしっかりと握るためにいくらか強くバッティングパッドを握るのに力が必要であることである。図７に示されるように、バッティングパッドは、指３６がバット４０の周りを包み込んでバッターの握りを安定させることが可能な長さに圧縮されなければならない。図７は、このバッティングパッドが用いられる場合に、バット４０を適切に安定させるための人差し指３４および手全体の動きを示す。
【０００９】
バッターのバットの握りを最適にし、バッドおよびパッドがバッターの手に心地よくフィットするようにバッターが握る傾き（ｓｌｏｐ）を減少させ、バッターが手掌の代わりに指でバットを楽に握ることを可能にし、そしてバッターの指のほんのわずかな動きでより技術的に適した位置でバットを楽に握れるように適切に成形された、バッターの親指３０と人差し指３４との間の領域をクッションで覆うバッティングパッドが必要である。
【００１０】
（要旨）
衝撃吸収材料から作製され、バッターの親指にフィットするように合わせられた環部分およびバッターの親指と人差し指との間の掌領域をクッションで覆うための付属物を有する本体を備えるバッティングパッド。この付属物は、第１端部と遠位端部との間に位置したその最も厚い点で厚みＴを有し、この付属物の厚みＴは、バッターの前腕に平行な線に対してバッターの手中にあるバットの角度を最適化するように選択され、この角度は、バッターの人差し指の先端に向かってバットを配置し、そしてバットをバッターの小指近辺でバッターの手掌に接触させる付属物の厚みＴにより決定される。別の実施形態において、この付属物の長さは、バッターの人差し指の先端に向かってバットを配置し、そしてバットのグリップエンド近辺のバットの基部を、バッターの小指近辺でバッターの手掌に接触させることを補助するように選択され得る。
【００１１】
本発明の別の実施形態は、衝撃吸収材料から作製され、バッターの親指にフィットするように合わせられた環部分およびバッターの親指と人差し指との間の掌領域をクッションで覆うための付属物を有する本体を備えるバッティングパッドである。この実施形態において、この付属物は、第１端部と遠位端部との間に位置したその最も厚い点で厚みＴを有し、この付属物の厚みＴは、バッターの前腕に平行な線に対してバッターの手中にあるバットの角度を最適化するように選択され、この角度は、バッターの人差し指の先端に向かってバットを配置し、そしてバットをバッターの小指近辺でバッターの手掌に接触させる付属物の厚みＴにより決定され、その結果、この付属物の最も厚い点は、バッターの親指の近位関節と人差し指の近位関節との間の掌領域に接触する。この付属物はまた、環部分の内側に隣接した第１端部と付属物の遠位端部との間に長さＮを有し、ここで長さＮは、バッターがバットを握ったときに、この付属物は長手軸方向の圧縮が実質的になく、そしてこの付属物の遠位端部が、バッターの人差し指の近位関節近辺で掌領域に接触するように選択される。
【００１２】
本発明のなお別の実施形態は、バッターのバットの握りを補助するためのデバイスである。この実施形態は、手袋、および衝撃吸収材料から作製され、バッターの親指にフィットするように合わせられた環部分およびバッターの親指と人差し指との間の掌領域をクッションで覆うための付属物を有する本体を備え、ここでこの本体は、手袋内にフィットしている。この付属物は、第１端部と遠位端部との間に位置したその最も厚い点で厚みＴを有し、そしてこの付属物の厚みＴは、バッターがバットを握った場合、この付属物が、バッターの人差し指の先端に向かって外側にバットを配置し、そして付属物の最も厚い点が、バッターの親指の近位関節と人差し指の近位関節との間のバッターの掌領域に接触する。
【００１３】
（詳細な説明）
図３および４、ならびに図９および１０により詳細に示される本発明の実施形態を参照すると、概して、環部分１１２および付属物１１６を有する本体１１０を備えるバッティングパッド示される。このバッティングパッドの本体１１０は、当該分野で公知の任意の種々の衝撃吸収剤から作製され得る。１つのこのような材料は、ＧＬＳ  Ｃｏｒｐｏｒａｔｉｏｎにより製造され、そして６７１３  ＧＬＳ  Ｄｙｎａｆｌｅｘと呼ばれている。他の実施形態において、任意のゴム材料が用いられて、バッティングパッドの本体１１０が形成され得る。この本体１１０は、１つの成形部品であってもよいし（例えば、図３、４、９および１０に示される）、密着（ｃｏｈｅｓｉｖｅ）本体１１０を形成するように、ともに接着された任意の数の部品であってもよい。この本体１１０はまた、その中心を貫いて延びる硬質プラスチックまたは金属の骨格を備え得る（図面には示されていない）。この骨格は、円形の形状にあって、使用中に本体１１０の形状の形成および維持を補助し得る。他の実施形態において、この金属骨格は用いられなくてもよい。
【００１４】
本体１１０の環部分１１２は、バッターの親指３０にフィットするように合わされた開口部１１４を備える。この開口部１１４は、種々の内径であり得る。図９の実施形態に示される開口部１１４は、内径が約２．２２ｃｍ（約０．８７５インチ）である。この本体１１０は、わずかに湾曲した下面１１８を有し得、そしてこの下面１１８の曲率は、変動し得る。図１０の実施形態に示されるこの下面１１８の曲率半径は、約１０．１６ｃｍ（約４インチ）である。付属物１１６の上面１２０および環部分１１２は、下面１１８よりも大きく湾曲し得る。この上面１２０の曲率もまた、変動し得る。図１２の実施形態に示される本体１１０の上面１２０は、約２．０３ｃｍ（約０．８インチ）の曲率半径を有する。
【００１５】
図９および１０を参照すると、本体１１０は、環部分１１２に隣接した本体１１０の外側端部１２１から付属物１１６の遠位端部１２２まで測定した総長Ｌを有する。この付属物１１６は、環部分１１２の第１の端部１２３からこの付属物１１６の遠位端部１２２まで測定した長さＮを有する。この付属物１１６は、その最も厚い点で幅Ｗおよび厚みＴを有する。長さＮと厚みＴの適切な選択は、バッティングパッドの性能において重要である。図６、８および１６に認められるように、バッティングパッドの環１１４は、バッターの親指３０の上に配置され、この付属物１１６は、人差し指３４に向かって延びる。この厚みＴは、バッターがバットを握った場合に、このバッティングパッドは、バットをバッターの人差し指３４に対して十分外側にするに十分な厚みであるように選択されるべきである。バットを指で、または少なくとも人差し指および中指３４、３７で握り、親指と人差し指との間の手掌では握らないことが重要であるので、その最も厚い位置でのバッティングパッドの厚みＴは、バッターはバット４０を、掌の代わりに人差し指３４および中指３７で握るように（親指３０の内側先端にバット４０がある）、バッターの人差し指３４に対して掌から十分に離れてバット４０を配置するに十分な厚みがあり得る。図１６は、本発明の１つの実施形態でのこの握り位置を示す。付属物１１６の長さＮが長すぎる場合、この付属物１１６は、図７のバッティングパッド（例えば、米国特許第４，４６１，０４３号のもの）の図で認められるように、バット４０が握られた場合に、長手軸方向に圧縮される。図７のように、バット４０を握るために、バッターが長手軸方向にバッティングパッドを圧縮する力を付与するために力を入れるので、このバッティングパッドは、バット４０を握ったときにバッターの手中で容易にフィットしない。従って、本発明の付属物１１６の長さＮは、バット４０を使用しているときに、この付属物１１６が長さにおいて圧縮されないように選択されるべきである。この付属物の相対的長さＮ、従って、本体の総長Ｌの減少は、より小さな手のバッターが人差し指３４をバッティングパッドおよびバット４０の周りにフィットさせ；従って、減少した長さＮは、これらのユーザーが本発明から利益を享受することを可能にする。
【００１６】
図６および８において認められ得るように、本発明の湾曲した上面１２０は、米国特許第４，４６１，０４３号のバッティングパッドより容易にかつ滑らかに、人差し指３４と親指３０との間の手掌領域に接触する；すなわち、この上面１２０は、掌領域と本質的に連続して接触した状態にある。図面で３２として参照されるこの掌領域は、バッターの手の２つの関節間の領域により規定される。第１の関節は、親指３０の中手骨の指節間関節３３（本明細書中以降、親指３０の近位関節と参照される）であり、これは、親指３０の中手骨と近位指節骨との間の関節である。第２の関節は、人差し指３４の中手骨の指節骨関節３５（本明細書中以降、人差し指３４の近位関節と参照される）であり、これは、人差し指３４の中手骨と近位指節骨との間の関節である。付属物１１６の最も厚い点Ｔは、親指３０の近位関節３３と人差し指３４の近位関節３５との間の手掌領域に接触するべきである。同様に、付属物１１６の上面１２０の曲率が適切に選択される場合、この上面１２０は、親指３０の近位関節３３と人差し指３４の近位関節３５との間の掌領域３２により容易にかつ滑らかに接触するべきである。付属物１１６の長さＮおよび厚みＴが適切に選択される場合、この付属物１１６の遠位端部１２２は、バット４０が握られたときに、この付属物１１６が、その長さにそって圧縮されないように、バッターの人差し指３４の近位関節３５付近で掌領域に接触するべきである。
【００１７】
本発明と米国特許第４，４６１，０４３号に開示されるバッティングパッドとの比較により、これらのバッティングパッド間の多くの差異が示される。図３および４は、実線で本発明を、破線で米国特許第４，４６１，０４３号のもののようなバッティングパッドとともに示す。図３および４において認められ得るように、米国特許第４，４６１，０４３号のバッティングパッドは、より長くかつ薄い。本発明の増加した厚みＴおよび減少した長さＮは、確実に、バッターの手中にあるバッティングパッドのフィット感がよりよくなる。厚みＴの増加はまた、親指３０と手との間の関節付近の領域（いくらかのバッターは、ここに、頻繁に挫傷を生じさせる）における保護の詰め物を増加させる。
【００１８】
図５および８は、本発明と米国特許第４，４６１，０４３号のバッティングパッドとの間の重要な差異のいくつかを示す。図５および７は、それぞれ、ゆるく保持された位置および握られた位置にある米国特許第４，４６１，０４３号のバッティングパッドを示す。図６および８は、同様に、ゆるく保持された位置および握られた位置にある本発明の１つの実施形態のバッティングパッドを示す。バッターの手中にある図５および６におけるバッティングパッドの配置を比較することにより、バットがゆるく保持された場合に、米国特許第４，４６１，０４３号のバッティングパッドより、本発明がバッターの手に心地よくフィットすることが示される。本発明の付属物１１６は、米国特許第４，４６１，０４３号のバッティングパッドより長さＮがより短く、より大きな厚みＴを有し得るので、本発明は、米国特許第４，４６１，０４３号のバッティングパッドよりも良好にバッターの手に合うように成形される。本発明の付属物１１６のより短い長さＮはまた、米国特許第４，４６１，０４３号のバッティングパッドより、バッターの人差し指３４の表面でより大きな程度でこの指がバット４０に接触することを可能にする。
【００１９】
図７および８は、バット４０が握られた位置にあるときに、米国特許第４，４６１，０４３号のバッティングパッドを超える本発明の利点のいくつかを示す。本発明のより短い長さＮおよびより大きな厚みＴは、米国特許第４，４６１，０４３号のバッティングパッドより、バッターがバット４０をより容易に握ることを可能にする。図７は、適所にある米国特許第４，４６１，０４３号のバッティングパッドに対して、バット４０の握りにおけるバッターの手および人差し指３４の動きを示す。本発明は、図８に示されるように、バッターの人差し指３４に対して、そしてバッターの掌から離れてさらにバット４０を押し出すので、バッターは、所望されるように、指をわずかに閉じて、バット４０を握ることが必要であるのみである。バッターの指の強さが、付属物１１６を長手軸方向に圧縮するために用いられる必要性は、ほとんどまたはまったくない。バッターの掌からのバット４０の距離が大きくなるにつれて、バッターが人差し指３４と中指３７でバット４０を握らせることになる（バット４０は、親指３０の内側先端により、適切な位置に支持される）。本発明の１つの実施形態を用いた握り位置は、バッティングパッドを用いない場合または米国特許第４，４６１，０４３号のバッティングパッドを用いる場合よりも、バッターにより良好なバットコントロール、梃子の作用、速度および威力を提供する。
【００２０】
本発明の厚みＴの増加はまた、図１１〜１６に示されるように、バッターの手中にあるバット４０の角度αを増大させる。図１１〜１３は、ホームプレートの上からストライクゾーンを通過してバットを見下ろした図を示す（図１１〜１３に見られるように、反時計回りに動く）。図１１は、バット４０を握るためにバッティングパッドを使用していないことを示し、図１２は、バット４０を握るために米国特許第４，４６１，０４３号のもののようなバッティングパッドを使用していることを示し、そして図１３は、バット４０での使用における本発明の実施形態を示す。図１２は、図１１のバット位置を破線で示し、そして図１３は、図１１および１２のバット位置を破線で示す。図１１〜１３において、角度αは、バット４０と、ホームプレートとピッチャーマウンドとの間の線に対して概して垂直に合わせられた水平線との間の角度である。図１１〜１３は、バッターの手首が各図において同じ位置にあるようにした、バッターのスイングの同じ点でのバット４０の位置を示す。図１１と比較した場合の図１２における角度αの増加は、米国特許第４，４６１，０４３号のもののようなバッティングパッドの使用により生じ、そして図１２の角度αを超える図１３の角度αのさらなる増加は、米国特許第４，４６１，０４３号のバッティングパッドと比較して、本発明の厚みＴの増加により生じる。図１３はまた、図１２のバット位置を破線で示し（同様に図１１のバット位置も）、これはさらに、バット位置における差異を示す。
【００２１】
図１６は、本発明の実施形態の使用におけるバッターの手中にあるバット４０の図を示し、図１４〜１５は、それぞれ、バッティング補助なしおよび米国特許第４，４６１，０４３号のバッティング補助ありの場合の同じ図を示す。図１６の角度βは、バットに平行な線（図１４〜１６においてＡで示される）と、バッターの前腕に対して概して平行にされた線（図１４〜１６においてＣで示される）との間の角度である。本発明の厚みＴの増加（図１６）は、バット４０を、本発明のバッティングパッドを用いたバッターの人差し指３４の先端に向かって（親指３０の内側先端に向かって）外側に、同時にバッターの小指３９近辺でバット４０の端部をバッターの手掌に向かって動かしながら、配置する。従って、バット４０のグリップ近辺のバット４０の基部は、バッターの手掌に、より向いている。従って、付属物の厚みＴは、バッターの手中にあるバット４０のこの角度βを最適化するように、バッターの手のサイズに対して選択され得る。バッターは、なお人差し指と中指３４、３７でバット４０を握り得るが、バット４０は、バッターの小指３９近辺で手掌の中にまたは手掌近辺にあるはずである。角度βの増加は、図１６の参照線Ｃに対してさらにバッターの手と対向するバット４０の端部を回転させる。バッターがバット４０をスイングする場合（図１３に示される）、ボールがプレートの前面に近づくとき、ボールをヒットするために理想的なバット４０の領域は、バッティングパッドを用いない場合または米国特許第４，４６１，０４３号のバッティングパッドを用いる場合（図１４〜１５に示される）より、バッターのスイングにおいてより初期の時点でヒッティングゾーンを通過する。従って、バッターのスイングにおいて、バッターが彼または彼女の手首を返す時点で、バット４０は、バッティングパッドを用いない場合または米国特許第４，４６１，０４３号のバッティングパッドを用いる場合よりヒッティングゾーンをさらに通過して動いている。バッターの手中にあるバット４０のこの角度βの最適化は、バッターが、ヒッティングゾーンを通過して、適切な角度でバット４０をスイングすることを可能にし、従って、バッターのバッティング上達を助け、バッターの梃子の作用およびバットの速度を増大させる。図１５は、米国特許第４，４６１，０４３号のバッティングパッドの使用を示す。図１５に示されるバッティングパッドは、バッティングパッドを人差し指３４の先端に向かって押し出さないので（図１６のバッティングパッドは押し出す）、図１５の角度βは、図１６の角度βより小さく、角度βは、バッティングのために最適化されない。
【００２２】
図１６はまた、本発明のバッティングパッドを用いた場合の、バッターの人差し指３４と中指３７に対するバッターの手中にあるバット４０の位置を示す。図１５は、米国特許第４，４６１，０４３号のバッティングパッドについて同じ位置を示す。図１６のバッティングパッドは、図１５および１６の比較において認められ得るように、図１５のバッティングパッドより人差し指３４の先端近くでバットを動かす。さらに、図１６のバッティングパッドは、人差し指３４と中指３７との間に、約０．６３〜１．２７ｃｍ（約４分の１〜２分の１インチ）の隙間を作り得る。この隙間（本発明のバッティングパッドにより作られる）は、図１６において認められ得るように、人差し指３４と中指３７との間に「Ｖ字」位置を作り得る。図１６に示されるバット位置と握り位置は、結果として、改善されたバットコントロール、梃子の作用、速度、およびバッターの威力になり得る。
【００２３】
本体１１０の総長Ｌ、幅Ｗ、および厚みＴならびに付属物１１６の長さＮが変動して、バッターの手のサイズの違いに適合し得るが、これらの寸法間の特定の比は、本発明の１つの実施形態において設定範囲内に維持され得る。例えば、本体１１０の総長Ｌは、この実施形態において、好ましくは、この本体１１０の幅Ｗより大きくあるべきである。この実施形態において、好ましくは所定の範囲内に維持されるべき第２の重要な比は、本体１１０の厚みＴに対する長さＮの比Ｎ／Ｔである。図３〜４および９〜１０に示される本発明の実施形態は、約３．０５ｃｍ（約１．２インチ）の長さＮおよび約２．５４ｃｍ（約１インチ）の厚みＴを有する。図３〜４および９〜１０に示される実施形態の厚みＴに対する長さＮの比Ｎ／Ｔは、約１．２であるが、この比は、同様にいくらか変動し得る。図３〜４および９〜１０に示される本発明の実施形態において、この比Ｎ／Ｔは、好ましくは１．６以下、そして別の実施形態では１．３以下である。なお別の実施形態において、この比Ｎ／Ｔは、１．２以下である。
【００２４】
米国特許第４，４６１，０４３号のもののようなバッティングパッドの総長ｌは、約６．３５ｃｍ（約２．５インチ）であり、その最も厚い点での厚みｔは、約１．９１ｃｍ（約０．７５インチ）である（図１〜２を参照のこと）。フラップ部分１６の長さｎは、約３．１８ｃｍ（約１．２５インチ）である。従って、このバッティングパッドの厚みｔに対する長さｎの比ｎ／ｔは、約１．６６である。このバッティングパッドの長さｎは、本発明の長さＮより大きく、このバッティングパッドの厚みｔは、本発明のバッティングパッドの厚みＴより小さいので（少なくともバッティングパッドの他の寸法に対する相対的関係において）、米国特許第４，４６１，０４３号のバッティングパッドの上面２０の曲率半径は、本発明のものより大きい。
【００２５】
本発明の本体１１０は、図６、８、１３および１６のように単体で用いられ得るが、図１７に示されるように、これはまた、バッターの手袋とともに用いられてもよい。この実施形態において、本体１１０は、バッティンググローブ２００に組み込まれ得、その結果、バッターは、１回のすばやい動作で本体１１０とバッティンググローブ２００を身に着け得る。この実施形態において、本発明の本体１１０の配置のために人差し指３４と親指３０との間のバッティンググローブ２００の領域にポケット２０２が形成され得る。他の実施形態において、本発明のバッティングパッドは、グローブ２００の外側にまたはグローブ２００の内側に設けられ得る。
【００２６】
上に記載された発明は、バッターの適切なバットの握りを補助する。付属物の適切な厚みＴおよび長さＮの選択により、バッターが人差し指と中指３４、３７でバットを握ることになり（そして親指３０の内側部分により適切に保持される）、バッターの手中にあるバットの角度を増大させる。従って、本発明は、バットを適切に握ることにおいてバッターの技術を改善する。正しい握りの技術は、結果として、改善されたバットコントロール、梃子の作用、速度および威力になり得、従って、バッターがより堅実かつ威力のあるヒッティングをすることの助けとなる。
【００２７】
本発明は、そのいくつかの実施形態を参照して記載されてきたが、当業者は、本願発明の趣旨および範囲から逸脱することなく種々の変更が行われ得ることを認識する。従って、本発明は、図面に示されるものおよび明細書中に記載されるものに限定されず、添付の特許請求の範囲において記載されるものにのみ限定される。
【図面の簡単な説明】
【図１】  図１は、米国特許第４，４６１，０４３号に開示されたもののようなバッティングパッドの平面図である。
【図２】  図２は、図１に示されたバッティングパッドの側面図である。
【図３】  図３は、本発明の１つの実施形態の平面図である。
【図４】  図４は、図３に示される本発明の実施形態の側面図である。
【図５】  図５は、バットがバッターの手でゆるく保持されている状態の、図１に示されるバッティングパッドの側面図である。
【図６】  図６は、バットがバッターの手でゆるく保持されている状態の、図３に示される本発明の実施形態の側面図である。
【図７】  図７は、バットがバッターの手で握られてる状態の、図１に示されるバッティングパッドの側面図である。
【図８】  図８は、バットがバッターの手で握られている状態の、図３に示される本発明の実施形態の側面図である。
【図９】  図９は、図３に示される本発明の実施形態の平面図である。
【図１０】  図１０は、図３に示される本発明の実施形態の側面図である。
【図１１】  図１１は、バッティングパッドを使用しない場合のバッターの手中にあるバットのホームプレート上の平面図である。
【図１２】  図１２は、バッターが米国特許第４，４６１，０４３号に開示されるもののようなバッティングパッドを用いた場合、バッターの手中にあるバットのホームプレート上の平面図である。
【図１３】  図１３は、バッターがバッティングパッドとして本発明の１つの実施形態を用いた場合、バッターの手中にあるバットのプレート上の平面図である。
【図１４】  図１４は、バッティングパッドを使用しない場合の、バッターの手がバットを握る指の位置の図である。
【図１５】  図１５は、バッターが米国特許第４，４６１，０４３号に示されるもののようなバッティングパッドを使用した場合、バッターの手がバットを握る指の位置の図である。
【図１６】  図１６は、バッターがバッティングパッドとして本発明の１つの実施形態を用いた場合に、バッターの手がバットを握る指の位置の図である。
【図１７】  図１７は、本発明のバッティングパッドの１つの実施形態を含むグローブの図である。
【図１】
0004870310.tif 000002
【図２】
0004870310.tif 000003
【図３】
0004870310.tif 000004
【図４】
0004870310.tif 000005
【図５】
0004870310.tif 000006
【図６】
0004870310.tif 000007
【図７】
0004870310.tif 000008
【図８】
0004870310.tif 000009
【図９】
0004870310.tif 000010
【図１０】
0004870310.tif 000011
【図１１】
0004870310.tif 000012
【図１２】
0004870310.tif 000013
【図１３】
0004870310.tif 000014
【図１４】
0004870310.tif 000015
【図１５】
0004870310.tif 000016
【図１６】
0004870310.tif 000017
【図１７】
0004870310.tif 000018